【手続補正書】
【提出日】平成17年10月4日(2005.10.4)
【手続補正１】
【補正対象書類名】明細書
【補正対象項目名】発明の名称
【補正方法】変更
【補正の内容】
【発明の名称】中継装置及びその制御方法、並びに制御プログラム及び記憶媒体
【手続補正２】
【補正対象書類名】明細書
【補正対象項目名】特許請求の範囲
【補正方法】変更
【補正の内容】
【特許請求の範囲】
【請求項１】  無線通信端末がネットワークに接続する際に使用される中継装置において、
複数の無線通信端末と無線通信する複数のアクセスポイント手段と、
前記複数のアクセスポイント手段による無線通信端末との無線通信を制御する制御手段を備え、
前記制御手段は、前記複数のアクセスポイント手段のうちの特定のアクセスポイント手段に無線通信端末が集中して接続しないように制御することを特徴とする中継装置。
【請求項２】 前記制御手段は、ネットワークに接続するサーバから通知された無線通信端末の識別子の数と、前記アクセスポイント手段の数とに基づいて、前記制御を行うことを特徴とする請求項１に記載の中継装置。
【請求項３】 前記制御手段は、前記サーバから通知された無線通信端末の識別子の数を前記アクセスポイント手段の数で除算し、その除算結果に基づいて、各アクセスポイント手段への接続を許可する無線通信端末の識別子を各アクセスポイント手段に通知することを特徴とする請求項２に記載の中継装置。
【請求項４】 前記制御手段は、無線通信端末から接続を要求されたアクセスポイント手段に接続している無線通信端末の数と、他のアクセスポイント手段に接続している無線通信端末の数と、に応じて、無線通信端末の接続制御を行うことを特徴とする請求項１に記載の中継装置。
【請求項５】 前記複数のアクセスポイント手段は、それぞれ無線通信端末との間で無線通信を行う動作状態に遷移する遷移手段と、無線通信端末との間で無線通信を行う動作状態において、該アクセスポイント手段の周辺に存在する無線通信端末の識別子を取得する取得手段とを備えることを特徴とする請求項１に記載の中継装置。
【請求項６】 前記アクセスポイント手段は、ＩＥＥＥ８０２.１１、ＩＥＥＥ８０２.１１ｂ又はＩＥＥＥ８０２.１１ａに基づく無線方式により通信することを特徴とする請求項１に記載の中継装置。
【請求項７】 無線通信端末がネットワークに接続する際に使用され、複数の無線通信端末と無線通信する複数のアクセスポイント手段を有する中継装置の制御方法において、
前記複数のアクセスポイント手段のうちの特定のアクセスポイント手段に無線通信端末が集中して接続しないように制御することを特徴とする中継装置の制御方法。
【請求項８】 無線通信端末がネットワークに接続する際に使用され、複数の無線通信端末と無線通信する複数のアクセスポイント手段を有する中継装置用の制御プログラムにおいて、
前記複数のアクセスポイント手段のうちの特定のアクセスポイント手段に無線通信端末が集中して接続しないように制御することを特徴とする中継装置用の制御プログラム。
【請求項９】 請求項８に記載の制御プログラムを格納するコンピュータ読み取り可能な記憶媒体。
【請求項１０】 複数の無線通信端末からサーバへ接続する際に使用される中継装置において、
前記複数の無線通信端末と無線通信する複数のアクセスポイント手段と、
前記複数のアクセスポイント手段による前記複数の無線通信端末との無線通信を制御する制御手段と、
前記サーバから前記複数の無線通信端末のそれぞれの識別子を受信する受信手段とを備え、
前記制御手段は、前記受信手段を介して受信した識別子の数を前記複数のアクセスポイント手段の数で除算し、その除算結果に基づいて接続可能な無線通信端末の識別子を前記複数のアクセスポイント手段のそれぞれに通知し、前記複数のアクセスポイント手段のそれぞれは、前記制御手段より通知された識別子の無線通信端末のみと接続することを特徴とする中継装置。
【請求項１１】 複数の無線通信端末からサーバへ接続する際に使用され、前記複数の無線通信端末と無線通信する複数のアクセスポイント手段を有する中継装置の制御方法において、
前記複数のアクセスポイント手段による前記複数の無線通信端末との無線通信を制御する制御ステップと、
前記サーバから前記複数の無線通信端末のそれぞれの識別子を受信する受信ステップとを備え、
前記制御ステップは、前記受信ステップを介して受信した識別子の数を前記複数のアクセスポイント手段の数で除算し、その除算結果に基づいて接続可能な無線通信端末の識別子を前記複数のアクセスポイント手段のそれぞれに通知し、前記複数のアクセスポイント手段のそれぞれは、前記制御ステップより通知された識別子の無線通信端末のみと接続することを特徴とする中継装置の制御方法。
【請求項１２】 複数の無線通信端末からサーバへ接続する際に使用され、前記複数の無線通信端末と無線通信する複数のアクセスポイント手段を有する中継装置の制御プログラムにおいて、
前記複数のアクセスポイント手段による前記複数の無線通信端末との無線通信を制御する制御モジュールと、
前記サーバから前記複数の無線通信端末のそれぞれの識別子を受信する受信モジュールとをコンピュータに実行させ、
前記制御モジュールは、前記受信モジュールを介して受信した識別子の数を前記複数のアクセスポイント手段の数で除算し、その除算結果に基づいて接続可能な無線通信端末の識別子を前記複数のアクセスポイント手段のそれぞれに通知し、前記複数のアクセスポイント手段のそれぞれは、前記制御モジュールより通知された識別子の無線通信端末のみと接続することを特徴とする中継装置の制御プログラム。
【請求項１３】 請求項１２に記載の制御プログラムを格納するコンピュータ読み取り可能な記憶媒体。
【手続補正３】
【補正対象書類名】明細書
【補正対象項目名】０００１
【補正方法】変更
【補正の内容】
【０００１】
【発明の属する技術分野】
本発明は、デジタルデータの無線通信を行うことが可能な無線通信システムに使用される中継装置及びその制御方法、並びに制御プログラム及び記憶媒体に関し、特に、無線通信端末との無線通信において、一つのアクセスポイントにアクセスが集中することを防止する中継装置及びその制御方法、並びに制御プログラム及び記憶媒体に関する。
【手続補正４】
【補正対象書類名】明細書
【補正対象項目名】０００７
【補正方法】変更
【補正の内容】
【０００７】
本発明は、かかる点に鑑みてなされたものであり、無線通信端末との無線通信において、一つのアクセスポイントに無線通信端末のアクセスが集中することを防止することができる中継装置及びその制御方法、並びに制御プログラム及び記憶媒体を提供することを目的とする。
【手続補正５】
【補正対象書類名】明細書
【補正対象項目名】０００８
【補正方法】変更
【補正の内容】
【０００８】
【課題を解決するための手段】
上記目的を達成するために、請求項１に記載の中継装置は、無線通信端末がネットワークに接続する際に使用される中継装置において、複数の無線通信端末と無線通信する複数のアクセスポイント手段と、前記複数のアクセスポイント手段による無線通信端末との無線通信を制御する制御手段を備え、前記制御手段は、前記複数のアクセスポイント手段のうちの特定のアクセスポイント手段に無線通信端末が集中して接続しないように制御することを特徴とする。
請求項７に記載の制御方法は、無線通信端末がネットワークに接続する際に使用され、複数の無線通信端末と無線通信する複数のアクセスポイント手段を有する中継装置の制御方法において、前記複数のアクセスポイント手段のうちの特定のアクセスポイント手段に無線通信端末が集中して接続しないように制御することを特徴とする。
請求項８に記載の制御プログラムは、無線通信端末がネットワークに接続する際に使用され、複数の無線通信端末と無線通信する複数のアクセスポイント手段を有する中継装置用の制御プログラムにおいて、前記複数のアクセスポイント手段のうちの特定のアクセスポイント手段に無線通信端末が集中して接続しないように制御することを特徴とする。
請求項９に記載の記憶媒体は、請求項８に記載の制御プログラムを格納することを特徴とする。
請求項１０に記載の中継装置は、複数の無線通信端末からサーバへ接続する際に使用される中継装置において、前記複数の無線通信端末と無線通信する複数のアクセスポイント手段と、前記複数のアクセスポイント手段による前記複数の無線通信端末との無線通信を制御する制御手段と、前記サーバから前記複数の無線通信端末のそれぞれの識別子を受信する受信手段とを備え、前記制御手段は、前記受信手段を介して受信した識別子の数を前記複数のアクセスポイント手段の数で除算し、その除算結果に基づいて接続可能な無線通信端末の識別子を前記複数のアクセスポイント手段のそれぞれに通知し、前記複数のアクセスポイント手段のそれぞれは、前記制御手段より通知された識別子の無線通信端末のみと接続することを特徴とする。
請求項１１に記載の制御方法は、複数の無線通信端末からサーバへ接続する際に使用され、前記複数の無線通信端末と無線通信する複数のアクセスポイント手段を有する中継装置の制御方法において、前記複数のアクセスポイント手段による前記複数の無線通信端末との無線通信を制御する制御ステップと、前記サーバから前記複数の無線通信端末のそれぞれの識別子を受信する受信ステップとを備え、前記制御ステップは、前記受信ステップを介して受信した識別子の数を前記複数のアクセスポイント手段の数で除算し、その除算結果に基づいて接続可能な無線通信端末の識別子を前記複数のアクセスポイント手段のそれぞれに通知し、前記複数のアクセスポイント手段のそれぞれは、前記制御ステップより通知された識別子の無線通信端末のみと接続することを特徴とする。
請求項１２に記載の制御プログラムは、複数の無線通信端末からサーバへ接続する際に使用され、前記複数の無線通信端末と無線通信する複数のアクセスポイント手段を有する中継装置の制御プログラムにおいて、前記複数のアクセスポイント手段による前記複数の無線通信端末との無線通信を制御する制御モジュールと、前記サーバから前記複数の無線通信端末のそれぞれの識別子を受信する受信モジュールとをコンピュータに実行させ、前記制御モジュールは、前記受信モジュールを介して受信した識別子の数を前記複数のアクセスポイント手段の数で除算し、その除算結果に基づいて接続可能な無線通信端末の識別子を前記複数のアクセスポイント手段のそれぞれに通知し、前記複数のアクセスポイント手段のそれぞれは、前記制御モジュールより通知された識別子の無線通信端末のみと接続することを特徴とする。
請求項１３に記載の記憶媒体は、請求項１２に記載の制御プログラムを格納することを特徴とする。
【手続補正６】
【補正対象書類名】明細書
【補正対象項目名】００４９
【補正方法】削除
【補正の内容】
【手続補正７】
【補正対象書類名】明細書
【補正対象項目名】００５０
【補正方法】削除
【補正の内容】
【手続補正８】
【補正対象書類名】明細書
【補正対象項目名】００５１
【補正方法】削除
【補正の内容】
【手続補正９】
【補正対象書類名】明細書
【補正対象項目名】００５２
【補正方法】削除
【補正の内容】
【手続補正１０】
【補正対象書類名】明細書
【補正対象項目名】００５３
【補正方法】削除
【補正の内容】
【手続補正１１】
【補正対象書類名】明細書
【補正対象項目名】００５４
【補正方法】削除
【補正の内容】
【手続補正１２】
【補正対象書類名】明細書
【補正対象項目名】００５５
【補正方法】削除
【補正の内容】
【手続補正１３】
【補正対象書類名】明細書
【補正対象項目名】００５６
【補正方法】削除
【補正の内容】
【手続補正１４】
【補正対象書類名】明細書
【補正対象項目名】００５７
【補正方法】削除
【補正の内容】
【手続補正１５】
【補正対象書類名】明細書
【補正対象項目名】００５８
【補正方法】削除
【補正の内容】
【手続補正１６】
【補正対象書類名】明細書
【補正対象項目名】００５９
【補正方法】削除
【補正の内容】
【手続補正１７】
【補正対象書類名】明細書
【補正対象項目名】００６０
【補正方法】削除
【補正の内容】
【手続補正１８】
【補正対象書類名】明細書
【補正対象項目名】００６１
【補正方法】削除
【補正の内容】